(57)【特許請求の範囲】
【請求項１】
人や動物の侵入を防止するための侵入防止柵であって、
上記侵入防止柵は、保護地及び上記保護地以外の非保護地とを隔てるように互いに間隔を空けて設置された支柱と、
上記支柱間に架設されるパネル体とを備え、
上記パネル体は、上記支柱における保護地側に設けられ、上記パネル体の下端から保護地に向けて折り曲げられて延長されている下端延長部と、上記下端延長部の下部延長端から下方に向けて突出されている差込部とを有し、
上記差込部は、その先端が地面に差し込まれていること
を特徴とする侵入防止柵。
【請求項２】
上記パネル体は、上記下端延長部が上記地面に接触された状態で固定されていること
を特徴とする請求項１記載の侵入防止柵。
【請求項３】
上記パネル体は、その上端から上記非保護地に向けて延長されている上端延長部と、上記上端延長部の上部延長端から上方に向けて屈曲されている忍返部とを更に有すること
を特徴とする請求項１又は２記載の侵入防止柵。
【請求項４】
上記下端延長部は、踏み込み力が伝達可能な程度の延長幅を有すること
を特徴とする請求項１〜３のうち何れか１項記載の侵入防止柵。
【請求項５】
上記パネル体は、上記非保護地側から動物が衝突した場合に、その衝突力に基づいて上記パネルの下端と上記下端延長部との折曲げ点を支点とした上記下端延長部の曲げモーメントを作用させ、当該曲げモーメントを介して上記差込部に地面への押込力を作用させること
を特徴とする請求項１〜４のうち何れか１項記載の侵入防止柵。
【請求項６】
人や動物の侵入を防止するための侵入防止柵であって、
上記侵入防止柵は、保護地及び上記保護地以外の非保護地とを隔てるように互いに間隔を空けて設置された支柱と、
上記支柱間に架設されるパネル体と、
上記パネル体の下端に取り付けられ、上記保護地に向けて延長されている下端延長部と、上記下端延長部の下部延長端から下方に向けて突出されている差込部とを有する補助部材とを備え、
上記差込部は、少なくともその先端が地面に差し込まれていること
を特徴とする侵入防止柵。
【請求項７】
人や動物の侵入を防止するための侵入防止柵の設置方法であって、
保護地及び上記保護地以外の非保護地とを隔てるように互いに間隔を空けて支柱を設置する支柱設置工程と、
下端から保護地に向けて折り曲げられて延長されている下端延長部と、上記下端延長部の下部延長端から下方に向けて突出されている差込部とを有するパネル体を、少なくとも上記差込部の先端を地面に差し込みつつ、上記支柱間に架設するパネル体架設工程とを有すること
を特徴とする侵入防止柵の設置方法。
【請求項８】
上記下端延長部に踏み込み力を伝達し、上記差込部の先端を地面に差し込むこと
を特徴とする請求項７記載の侵入防止柵の設置方法。
【発明の詳細な説明】
【技術分野】
【０００１】
本発明は、例えば太陽光発電施設等を始めとした保護対象物が設置される保護地へ人や動物が侵入するのを防止する上で好適な侵入防止柵及びその設置方法に関するものである。
【背景技術】
【０００２】
低炭素社会の実現に向けて政府が太陽光発電の積極的な導入支援を打ち出した結果、太陽光発電システムの設置が近年において急速に進んできている。特にこのような太陽光発電システムは、個人の住宅等の屋根等に設置される場合に加え、メガソーラー等を始めとした大型の太陽光発電施設として原野等に設置される場合が多い。しかしながらこのような原野等には野生の動物が生息しているため、動物が太陽光発電施設に侵入して発電機器に危害を及ぼす場合がある。一方、このような太陽光発電施設を民地に設置した場合においても、施設内に侵入した人の悪戯によりこれらに危害を及ぼす場合がある。
【０００３】
従って、このような太陽光発電施設等を始めとした保護対象物が設置される保護地へ人や動物が侵入するのを防止するための侵入防止柵が従来において提案されている。
【０００４】
例えば特許文献１には、鋼棒を縦方向及び横方向に配列させたフェンス体の下部に櫛歯状部を形成して、これを突刺し状態で地中に埋設するものである。この特許文献１の開示技術によれば、フェンス体における下部の強度を増加させるとともに、フェンス体の下部を堀下げることにより、フェンス体を潜り抜けることによる動物の侵入を効果的に防ぐことを可能とするものである。
【０００５】
しかしながら、このような特許文献１に開示されている侵入防止柵は、フェンス体の下部からそのまま櫛歯状部が延長されており、換言すればフェンス体と櫛歯状部とが互いに略同一平面となるように構成されている。従って、動物が勢いよく衝突した場合には、フェンス体に負荷される応力に応じて櫛歯状部が地中から容易に抜け出てしまい、保護地への動物の侵入を許す結果になる。
【０００６】
また、特許文献２には、金属製の経線と緯線とを固着して構成したパネルの上部又は上下部を折り曲げることにより、胴縁としての機能を担わせることで、パネルとしての強度を増加させるとともに胴縁の構成を省略した廉価な柵を提供する技術も提案されている。
【０００７】
しかしながら、この特許文献２の開示技術においても同様に、動物が勢いよく衝突した場合には、胴縁を有しない分においてパネルが変形してしまい、保護地への動物の侵入を許す結果になるという問題点があった。
【０００８】
また、保護地への動物の侵入を防ぐ上でパネル自体を強化する以外に、当該パネルが架設される支柱を強化する技術思想も提案されている。従来の侵入防止柵はモルタルの基礎の上に設置される場合が多いが、例えば特許文献３には、基端側が先細状に形成された杭を地盤中に打設し、この杭に対して支柱を設ける構成が開示されている。しかしながら、このように支柱について強度面の強化を図ることができた場合においても、これらに架設されるパネル自体が動物の衝突に耐えられない場合には結局のところ保護地への動物の侵入を許す結果となる。
【０００９】
さらに、これら特許文献１〜３の開示技術は、保護地に対する動物の侵入以外の、人の侵入については何ら対策が施されていない。このため、保護地へ侵入した人による保護対象物の破壊活動を防止することができないという問題点は依然として解消することができなかった。
【先行技術文献】
【特許文献】
【００１０】
【特許文献１】実登第３０４１７０１号公報
【特許文献２】実公昭５５−１０３３５４号公報
【特許文献３】実開平７−４２８０５号公報
【発明の概要】
【発明が解決しようとする課題】
【００１１】
そこで本発明は、上述した問題点に鑑みて案出されたものであり、その目的とするところは、太陽光発電施設等を始めとした保護対象物が設置される保護地へ人や動物が侵入するのを効果的に防止することが可能な侵入防止柵及びその設置方法を提供することにある。
【課題を解決するための手段】
【００１２】
本発明者らは上述した課題を解決するために、人や動物の侵入を防止するための保護地及び上記保護地以外の非保護地とを隔てるように互いに間隔を空けて支柱を設置し、下端から保護地に向けて折り曲げられて延長されている下端延長部と、上記下端延長部の下部延長端から下方に向けて突出されている差込部とを有するパネル体を、上記支柱における保護地側において、上記差込部の先端を地面に差し込みつつ、上記支柱間に架設する侵入防止柵及びその設置方法を発明した。
【００１３】
即ち、請求項１記載の侵入防止柵は、人や動物の侵入を防止するための侵入防止柵であって、上記侵入防止柵は、保護地及び上記保護地以外の非保護地とを隔てるように互いに間隔を空けて設置された支柱と、上記支柱間に架設されるパネル体とを備え、上記パネル体は、上記支柱における保護地側に設けられ、上記パネル体の下端から保護地に向けて折り曲げられて延長されている下端延長部と、上記下端延長部の下部延長端から下方に向けて突出されている差込部とを有し、上記差込部は、その先端が地面に差し込まれていることを特徴とする。
【００１４】
請求項２記載の侵入防止柵は、請求項１記載の発明において、上記パネル体は、上記下端延長部が上記地面に接触された状態で固定されていることを特徴とする。
【００１５】
請求項３記載の侵入防止柵は、請求項１又は２記載の発明において、上記パネル体は、その上端から上記非保護地に向けて延長されている上端延長部と、上記上端延長部の上部延長端から上方に向けて屈曲されている忍返部とを更に有することを特徴とする。
【００１６】
請求項４記載の侵入防止柵は、請求項１〜３のうち何れか１項記載の発明において、上記下端延長部は、踏み込み力が伝達可能な程度の延長幅を有することを特徴とする。
【００１７】
請求項５記載の侵入防止柵は、請求項１〜４のうち何れか１項記載の発明において、上記パネル体は、上記非保護地側から動物が衝突した場合に、その衝突力に基づいて上記パネルの下端と上記下端延長部との折曲げ点を支点とした上記下端延長部の曲げモーメントを作用させ、当該曲げモーメントを介して上記差込部に地面への押込力を作用させることを特徴とする。
【００１８】
請求項６記載の侵入防止柵は、人や動物の侵入を防止するための侵入防止柵であって、上記侵入防止柵は、保護地及び上記保護地以外の非保護地とを隔てるように互いに間隔を空けて設置された支柱と、上記支柱間に架設されるパネル体と、上記パネル体の下端に取り付けられ、上記保護地に向けて延長されている下端延長部と、上記下端延長部の下部延長端から下方に向けて突出されている差込部とを有する補助部材とを備え、上記差込部は、少なくともその先端が地面に差し込まれていることを特徴とする。
【００１９】
請求項７記載の侵入防止柵の設置方法は、人や動物の侵入を防止するための侵入防止柵の設置方法であって、保護地及び上記保護地以外の非保護地とを隔てるように互いに間隔を空けて支柱を設置する支柱設置工程と、下端から保護地に向けて折り曲げられて延長されている下端延長部と、上記下端延長部の下部延長端から下方に向けて突出されている差込部とを有するパネル体を、少なくとも上記差込部の先端を地面に差し込みつつ、上記支柱間に架設するパネル体架設工程とを有することを特徴とする。
【００２０】
請求項８記載の侵入防止柵の設置方法は、請求項７記載の発明において、上記下端延長部に踏み込み力を伝達し、上記差込部の先端を地面に差し込むことを特徴とする。
【発明の効果】
【００２１】
上述した構成からなる本発明によれば、動物による衝突力が直接的に加わる縦線材からほぼ垂直方向に下端延長部を折り曲げて構成している。換言すれば縦線材の延伸方向とずれた位置に差込部を設けることにより、縦線材への曲げ荷重を曲げモーメントへと変換することが可能となる。これにより、差込部を介した地面への押込力を作用させることが可能となる。かかる構成によれば、動物による衝突力が負荷されるにつれて、差込部を介した地面への大きな押込力が作用することとなり、動物に対するパネル体による抵抗力をより増加させることが可能となり、ひいてはパネル体が地面から引き抜けようとする力を抑えることが可能となる。その結果、動物がパネル体を地面から引き抜いて保護地内に侵入するのを防止することが可能となる。
【図面の簡単な説明】
【００２２】
【図１】本発明を適用した侵入防止柵の全体斜視図である。
【図２】本発明を適用した侵入防止柵の正面図である。
【図３】本発明を適用した侵入防止柵の側面図である。
【図４】本発明を適用した侵入防止柵に適用されるパネル体の正面図である。
【図５】本発明を適用した侵入防止柵に適用されるパネル体の側面図である。
【図６】（ａ）は、縦線材の下端近傍を示す斜視図であり、（ｂ）はその側面図である。
【図７】（ａ）は、縦線材の上端近傍を示す側面図であり、（ｂ）はその斜視図である。
【図８】パネル体の上部における支柱への取り付け構造を示す平面図である。
【図９】パネル体の上部における支柱への取り付け構造を示す正面図である。
【図１０】パネル体の上部における支柱への取り付け構造を示す側面図である。
【図１１】パネル体の下部における支柱への取り付け構造を示す平面図である。
【図１２】パネル体の下部における支柱への取り付け構造を示す側面図である。
【図１３】パネル体の下端延長部を地面に対して離間させた状態で固定する例を示す図である。
【図１４】（ａ）は、侵入防止柵に対して動物が非保護地側から衝突した場合の作用効果について説明するための図であり、（ｂ）は、下端延長部及び差込部の構成を省略した従来と同様のパネル体についてその作用効果を説明するための図であり、（ｃ）は、下端延長部を地面から離間させた場合についてその作用効果を説明するための図である。
【図１５】パネル体を波状に加工した例を示す図である。
【図１６】侵入防止柵を傾斜地に設ける例を示す図である。
【図１７】下端延長部について曲率を持たせて延長して差込部へと連続させる例を示す図である。
【図１８】既設の柵に対して補助部材を設けることにより本発明を適用した侵入防止柵を構成する例を示す図である。
【発明を実施するための形態】
【００２３】
以下、本発明を適用した侵入防止柵を実施するための形態について図面を参照しながら詳細に説明をする。
【００２４】
図１は、本発明を適用した侵入防止柵１の全体斜視図であり、図２はその正面図であり、図３はその側面図を示している。この侵入防止柵１は、地面６上に立設される支柱２と、支柱２間に架設されるパネル体３と、支柱２の下端に取り付けられる杭４とを備えている。
【００２５】
支柱２は、地面６上に略垂直に立設される。支柱２は金属製で構成され、その表面はめっき加工が施されていてもよい。この支柱２は、例えばウェブの両端にフランジを形成させた断面Ｈ形状からなるＨ形鋼を使用してもよいし、断面円形状又は断面四角形状の鋼管柱を使用するようにしてもよい。支柱２は、保護地と非保護地とを隔てるように互いに間隔を空けて複数本に亘り設置される。ここでいう保護地とは、人や動物の侵入から保護するための保護対象物が設置されている領域である。保護対象物は、例えば太陽光発電設備に加え、鉄道、道路、住宅、水田や畑等の耕作地、商業施設等、侵入した人や動物から保護するためのあらゆる対象物を含む概念である。これに対して保護地以外の領域が非保護地である。支柱２を上述のように保護地と非保護地とを隔てるように設けることにより、侵入防止柵１が保護地と非保護地との境界に沿って設けられることとなり、非保護地における人や動物が保護地に侵入しようとするのを当該侵入防止柵１を介して防止することができる。
【００２６】
杭４は、少なくともその下端が先細となるように形成されている。この杭４は地面６に対して下向きに差し込まれてなり、杭４のほぼ上端近傍に至るまで地面６内に埋設されている。この杭４の上端には、支柱２が取り付けられる。杭４と支柱２との取り付け方法としては、例えば溶接等により互いに固着するようにしてもよいし、支柱２を鋼管で構成している場合には、その内径を杭４の外径よりも径大にしておくことにより、支柱２の内部に杭４の上端を挿入することにより固定するようにしてもよい。また逆に支柱２の内径を杭４の外径よりも径小となるように構成し、かつ杭４の上端から開口を設けることにより、杭４の開口内部に支柱２の下端を挿入することで固定するようにしてもよい。杭４と支柱２とを互いに取り付ける際には、必要に応じて杭４と支柱２それぞれに図示しないボルト挿通孔を形成させておくことでこれらをボルト接合するようにしてもよい。更にこの杭４は、支柱２と一体化されているもので構成されていてもよい。ちなみに地面６が土ではなくコンクリート基礎で構成される場合には、杭４をコンクリート基礎に埋設するようにしてもよいし、或いは杭４の構成自体を省略して支柱２の下端をコンクリート基礎中に埋設するようにしてもよい。
【００２７】
パネル体３は、図４に示す正面図、図５に示す側面図に示すように、金属製の線材を縦方向及び横方向に互いに略直交させることにより構成されている。縦方向に延長されている縦線材３１は、左右にほぼ等間隔で間隔を空けて配列されている。これに対して、横方向に延長されている横線材３２は、上下に間隔を空けて配列されている。この横線材３２は、互いに等間隔で構成されていてもよいが、図４に示すように互いに上下に近接する２本一組のグループで構成し、このグループ間の間隔を等間隔で構成するようにしてもよい。この縦線材３１と横線材３２は、互いに溶接により固着されている。
【００２８】
縦線材３１は、図６（ａ）、（ｂ）に示すように、その下端４１から折り曲げられて延長されている下端延長部４２と、下端延長部４２の下部延長端４３から下方に向けて突出されている差込部４４とを有している。下端延長部４２は、下端４１から略水平方向に向けて折り曲げて構成されている。即ち、縦線材３１が鉛直方向に延長されるものであり、下端延長部４２が略水平方向に向けて延長されるものであるから、これら縦線材３１、下端延長部４２は互いに直交するように形成されている。同様に差込部４４はほぼ鉛直下向きに向けて突出されていることから、下端延長部４２と差込部４４とは互いに直交するように形成されている。また、この下端延長部４２と、縦線材３１との交点である下端４１には、横線材３２ａが取り付けられ、また下端延長部４２と差込部４４との交点である下部延長端４３の近傍には、横線材３２ｂが取り付けられる。
【００２９】
また、縦線材３１は、図７（ａ）、（ｂ）に示すように、その上端５１から折り曲げられて延長されている上端延長部５２と、上端延長部５２の上部延長端５３から上方に向けて突出されている忍返部５４とを有している。上端延長部５２は、上端５１から略水平方向に向けて折り曲げて構成されている。即ち、縦線材３１が鉛直方向に延長されるものであり、上端延長部５２が略水平方向に向けて延長されるものであるから、これら縦線材３１、上端延長部５２は互いに直交するように形成されている。同様に忍返部５４はほぼ鉛直上向きに向けて突出されていることから、上端延長部５２と忍返部５４とは互いに直交するように形成されている。また、この上端延長部５２と、縦線材３１との交点である上端５１の近傍には、横線材３２ｃが取り付けられ、また上端延長部５２と忍返部５４との交点である上部延長端５３には、横線材３２ｄが取り付けられる。なお、これら上端延長部５２及び忍返部５４の構成は必須ではなく、省略するようにしてもよい。
【００３０】
ちなみに、上端延長部５２及び忍返部５４と下端延長部４２及び差込部４４とは互いに断面視で対称となるように屈曲されている。これにより、施工の際には、上下逆にしても、上端延長部５２及び忍返部５４と下端延長部４２及び差込部４４が必ず現れることとなる。従って、施工の際にパネル体３の上下方向を特段留意する必要が無くなり、施工労力の低減を図ることが可能となる。またパネル体３の上下方向が対称とされているため、パネル体３を複数段に亘り重ねた場合においても嵩張ることが無くなり、運搬効率を向上させることが可能となる。
【００３１】
このような構成からなるパネル体３は、支柱２に対して例えば図３、１２に示すように、下端延長部４２並びに差込部４４が保護地側に位置するように設けられる。これにより、下端延長部４２が下端４１から保護地に向けて折り曲げられて延長されている状態となる。このような状態の下でパネル体３は、図８〜１２に示すように、押えプレート７２、挟持用プレート１３２、Ｕボルト７１、ナット７３を介して支柱２に取り付けられる。ちなみに、この図８は、パネル体３の上部における支柱２への取り付け構造を示す平面図であり、図９は、その正面図、図１０はその側面図を示している。
【００３２】
Ｕボルト７１は、Ｕ字状に折り曲げられたボルトであり、その両端にはネジ部が形成されている。押えプレート７２は、金属製の板状体で構成されており、開削された２箇所の図示しない孔部にＵボルト７１を挿通可能としている。この押えプレート７２に対向させるようにして、挟持用プレート１３２を配設する。この挟持用プレート１３２も同様に開削された２箇所の図示しない孔部にＵボルト７１を挿通可能としている。この挟持用プレート１３２はその両端が折り曲げられていてもよい。
【００３３】
実際にこのパネル体３を支柱２に取り付ける際には、図８に示すようにＵボルト７１におけるＵ字部分を支柱２に対して係合させる。次に上述した挟持用プレート１３２における図示しない孔部をＵボルト７１に挿通させる。ちなみに、支柱２に対しては、互いに隣接する２枚のパネル体３の端部が当てがわれることとなるが、各パネル体３における端部を構成する縦線材３１をそれぞれ挟持用プレート１３２の両端の間に位置させ、押えプレート７２における図示しない孔部にＵボルト７１の端部をそれぞれ挿通させる。そして、押えプレート７２から突出されたＵボルト７１の端部におけるネジ部に、ナット７３を螺着させる。これにより挟持用プレート１３２及び押えプレート７２との間でいわゆるリング体が構成されることとなり、このリング体の中に、互いに隣接するパネル体３における端部の縦線材３１が収まることとなる。Ｕボルト７１とナット７３とを互いに強固に締め付けることにより、挟持用プレート１３２と押えプレート７２とにより、縦線材３１を強固に挟持することが可能となり、ひいては支柱２に対してパネル体３の端部の縦線材３１がより強固に固定されることとなる。
【００３４】
またパネル体３における上端延長部５２は、図１０に示すように支柱２における上端の直上に位置することとなる。このとき支柱２における上端をパネル体３における上端延長部５２に当接させるようにしてもよい。
【００３５】
図１１は、パネル体の下部における支柱２への取り付け構造を示す平面図であり、図１２は、その側面図である。パネル体３における下部においても同様に、図１１に示すように、Ｕボルト７１におけるＵ字部分を支柱２に対して係合させ、各パネル体３における端部を構成する縦線材３１を、それぞれＵボルト７１における両端の間に位置させた上で押えプレート７２及び挟持用プレート１３２間に挟持させた上で、ナット７３を介してこれらを強固に固定する。このとき、押えプレート７２及びナット７３から保護地側に向けて下端延長部４２が延長されている形態となる。
【００３６】
また下端延長部４２は、図１２に示すように地面６に対して接触された状態で固定されていてもよい。縦線材３１に対してほぼ垂直に折り曲げられる下端延長部４２の延長方向は、ほぼ水平方向である。このため下端延長部４２のほぼ全長が地面６に対して接触するように固定されることとなる。下端延長部４２の下部延長端４３から突出される差込部４４は、その下部延長端４３から先端にかけてほぼ全てが地面６内に差し込まれることとなる。
【００３７】
図１３は、この下端延長部４２を地面６に対して離間させた状態で固定する例を示している。下端延長部４２の下部延長端４３から突出される差込部４４は地面６内に差し込まれることとなる。
【００３８】
パネル体３は、支柱２に対して保護地側に設けられる。換言すれば、縦線材３１を支柱２に対して保護地側から配設した場合に、下端延長部４２が保護地側に向けて延長するように設計される。仮に、この下端延長部４２が非保護地側に向けて延長するように設計されていた場合には、支柱２と接してしまうことになるためである。
【００３９】
上述した構成からなる本発明を適用した侵入防止柵１の作用効果について説明をする。本発明を適用した侵入防止柵１に対して仮に動物９が非保護地側から衝突した場合、パネル体３に対して図１４（ａ）に示すようにパネル体３における縦線材３１に対して当該衝突力に基づく曲げ荷重が負荷されることとなる。パネル体３の下端に相当する縦線材３１の下端４１から下端延長部４２がほぼ垂直に折り曲げられているため、このような曲げ荷重がパネル体３に負荷された場合に、その折曲げ点である下端４１が支点となって、図中に示すような下端延長部４２の曲げモーメントＭが作用することとなる。この曲げモーメントＭの方向は、下端４１を中心として図中下向きへの回転方向となる。下端延長部４２の曲げモーメントＭが作用することにより、その下端延長部４２の下部延長端４３から突出される差込部４４には、図中下向きへの押込力が作用することとなる。このような押込力を作用させることにより、動物９がパネル体３に衝突してもこの差込部４４に作用する押込力によりこれに抵抗することが可能となり、パネル体３が地面６から引き抜かれてしまうのを防止することができる。
【００４０】
これに対して、図１４（ｂ）は、下端延長部４２及び差込部４４の構成を省略し、従来と同様のパネル体について、縦線材をそのまま地面６に差し込んだ例を示している。このような形態において、仮に動物９がパネル体３に対して同様に衝突した場合に、縦線材に負荷された曲げ荷重に応じて、地面６に差し込まれた縦線材の下端に引き抜き力が作用することとなる。その結果、動物９によるパネル体３への衝突に応じて縦線材が容易に地面６から引き抜かれてしまう。
【００４１】
このように本発明では、動物９による衝突力が直接的に加わる縦線材３１からほぼ垂直方向に下端延長部４２を折り曲げて構成している。換言すれば縦線材３１の延伸方向とずれた位置に差込部４４を設けることにより、いわば作用点である差込部４４を支点としての下端４１を介して偏心させることができ、縦線材３１への曲げ荷重を曲げモーメントへと変換することが可能となる。これが上述した差込部４４を介した地面６への押込力として作用させることが可能となる。かかる構成によれば、動物９による衝突力が負荷されるにつれて、差込部４４を介した地面６への大きな押込力が作用することとなり、動物９に対するパネル体３による抵抗力をより増加させることが可能となり、ひいてはパネル体３が地面６から引きぬけようとする力を抑えることが可能となる。その結果、動物９がパネル体３を地面から引き抜いて保護地内に侵入するのを防止することが可能となる。
【００４２】
因みに図１４（ａ）の例では、下端延長部４２を地面６に対して接触させた状態で固定した例である。これにより、下端延長部４２から突出される差込部４４は、地面６の奥の方へより押し込むことができる。その結果、動物９による衝突に対する抵抗力をより増強させることが可能となる。これに対して図１４（ｃ）の例は、下端延長部４２を地面６から離間させた場合において動物９の衝突したケースを示している。かかるケースにおいても同様のメカニズムに基づいて差込部４４を介した地面６への押込力を作用させ、ひいてはパネル体３が地面６から引きぬけようとする力を抑えることが可能となる。しかしながら、下端延長部４２を地面６に対して接触させた場合の方が差込部４４による押込力をより大きくすることができることは確かである。
【００４３】
また、パネル体３は地面６対して離間するものはなく、差込部４４を介して地面６に差し込まれている。これにより、小動物がパネル体３の下部を潜り抜けて保護地内に侵入することも防止することができる。
【００４４】
また、本発明を適用した侵入防止柵１によれば、上述したようにパネル体３を支柱２に対して保護地側に設ける際に、図８、１１に示すように保護地側からＵボルト７１とナット７３を螺着固定する構成としている。このため、非保護地側から侵入を試みようとする人がこれらＵボルト７１とナット７３とを取り外すことが困難となる。これに加えて、パネル体３の上端には、忍返部５４が設けられている。このため非保護地側から侵入を試みようとする人がこれに手を掛けてよじ登るのをこの忍返部５４を介して阻害することが可能となる。従って、本発明を適用した侵入防止柵１では、動物のみならず人による保護地への侵入も効果的に防ぐことが可能となる。
【００４５】
更に本発明を適用した侵入防止柵１によれば、上端に上端延長部５２及び忍返部５４によるいわゆる折曲げ構造を設けておくことにより剛性を確保することが可能となるため、胴縁を設ける必要もなくなる。このため、施工労力を軽減することが可能となり、施工期間の短縮化、ひいては部材コスト及び施工コストを低く抑えることが可能となる。
【００４６】
また本発明では、上述した侵入防止柵１の設置方法として具現化されるものであってもよい。
【００４７】
かかる場合には、保護地及び非保護地とを隔てるように互いに間隔を空けて支柱２を設置する。次に、上述した構成からなるパネル体３を、少なくとも差込部４４の先端を地面６に差し込みつつ、支柱２間に架設することとなる。このとき、地面６に差し込む過程において、下端延長部４２を作業者が足で踏み込んで施工してもよい。そのためには、この下端延長部４２の延長幅がちょうど作業者の踏み込み力が伝達可能な程度とされていることが望ましく、例えば３ｃｍ以上とされていることが望ましい。これにより、作業者が単に下端延長部４２を踏み込むことで、差込部４４を地面６に差し込むことができ、施工労力の低減を図ることが可能となる。特に地面６の地盤が固い場合や、施工箇所が狭くて作業スペースが確保しにくい場合においても、下端延長部４２を足で踏み込むことで差込部４４を容易に差し込むことができる。
【００４８】
また、本発明は、上述した実施の形態に限定されるものではない。例えばパネル体３を平面状に構成するのではなく、図１５に示すように波状に加工するようにしてもよい。このパネル体３では、横線材３２を波状に加工し、これに直交するように縦線材３１を配置する。波状の横線材３２の平面形状は、いわゆるサイン波等のような規則的な波形状であってもよいし、不規則な波形状であってもよい。このような波状に加工したパネル体３を設けることにより、動物９の衝突による衝撃荷重を分散することが可能となる。
【００４９】
図１６は、侵入防止柵１を傾斜地に設ける例を示している。傾斜面に沿って支柱２が設けられ、この支柱２間には、正面視で平行四辺形状のパネル体３が設けられることとなる。傾斜面に沿って支柱２を設けた場合には、隣接する支柱２間の配設高さが互いに相違するものとなるが、パネル体３における横線材３２をその傾斜面に沿って傾斜させ、かつ縦線材３１は互いに平行に構成した平行四辺形状とすることで、これら支柱２に接続することが可能となる。このような平行四辺形状のパネル体３も予め準備しておくことにより、保護地及び非保護地の境界が勾配の多いものであっても、これに対応することが可能となる。
【００５０】
また、図１７の例では、下端延長部４２´を直線状に延長するのではなく、曲率を持たせて延長し、差込部４４´へと連続させる例を示している。かかる形態において、この下端延長部４２´における下部延長端４３の位置は明確に示されるものではないが、下端延長部４２´と、差込部４４´間における任意の位置に割り当てられることとなる。このような形態においても、上述と同様の効果を奏することは勿論である。
【００５１】
また本発明を適用した侵入防止柵１は、既設の柵に対して、図１８に示すような補助部材９５を設けることにより構成するようにしてもよい。補助部材９５は、下端延長部４２、下部延長端４３、差込部４４が設けられている点は、パネル体３と同様である。下端延長部４２から下端４１を介して上方向に向けて補助用縦線材１３１が延長されている。この補助用縦線材１３１は、下端４１から上方向への延長幅は、例えば少なくとも３ｃｍ以上とされていることが望ましい。
【００５２】
このような形状からなる補助部材９５が取り付けられる既設のパネル体は、下端延長部４２、下部延長端４３、差込部４４の各構成が設けられていないことが前提となる。補助部材９５を実際に取り付ける場合には、既設のパネル体における縦線材３１に対して図１８に示すように補助用縦線材１３１を近接させ、止め金具１４１により、縦線材３１、補助用縦線材１３１を挟持する。そして、この止め金具１４１をボルト１４２及び図示しないナットを介して締め付け固定する。
【００５３】
このようにして既設のパネル体に補助部材９５を取り付けることにより、予め下端延長部４２、下部延長端４３、差込部４４が取り付けられた新設のパネル体３と同様の効果を奏することは勿論である。
【符号の説明】
【００５４】
１  侵入防止柵
２  支柱
３  パネル体
４  杭
６  地面
９  動物
３１  縦線材
３２  横線材
４１  下端
４２  下端延長部
４３  下部延長端
４４  差込部
５１  上端
５２  上端延長部
５３  上部延長端
５４  忍返部
７１  ボルト
７２  押えプレート
７３  ナット
９５  補助部材
１３１  補助用縦線材
１３２  挟持用プレート
１４１  止め金具
１４２  ボルト
【図１】
0006454519.tif 000002
【図２】
0006454519.tif 000003
【図３】
0006454519.tif 000004
【図４】
0006454519.tif 000005
【図５】
0006454519.tif 000006
【図６】
0006454519.tif 000007
【図７】
0006454519.tif 000008
【図８】
0006454519.tif 000009
【図９】
0006454519.tif 000010
【図１０】
0006454519.tif 000011
【図１１】
0006454519.tif 000012
【図１２】
0006454519.tif 000013
【図１３】
0006454519.tif 000014
【図１４】
0006454519.tif 000015
【図１５】
0006454519.tif 000016
【図１６】
0006454519.tif 000017
【図１７】
0006454519.tif 000018
【図１８】
0006454519.tif 000019